(57)【要約】【課題】ガラス板の曇りを防止すると共にこの曇りを防止する防曇シールの剥がれも防止可能な水道メータを提供する。【解決手段】指示ユニット２６は、上面が開口している有底円筒状のレジスターボックス３８と、指針３４または数字車３５等を有し、レジスターボックス３８内に収納される指示機構３３と、レジスターボックス３８の上面の開口部を閉塞するように、レジスターボックス３８の開口部周縁に形成されたガラス板載置段部４２に載置されるガラス板４０と、ガラス板４０の下面に貼り付けられた防曇シール４４と、ガラス板載置段部４２とガラス板４０に貼り付けられた防曇シール４４との間に挟み込まれ、指示ユニット２６内の水密を図ると共に防曇シール４４の剥がれを防止するように防曇シール４４を押えるＯリング４３とを具備する。【選択図】　　　　図１
2004004020.tif 000002
【特許請求の範囲】
【請求項１】
メータケースと、
該メータケース内に収納される指示ユニットとを備える水道メータにおいて、
前記指示ユニットは、
上面が開口している有底円筒状のレジスターボックスと、
指針または数字車等を有し、前記レジスターボックス内に収納される指示機構と、
前記レジスターボックスの上面の開口部を閉塞するように、レジスターボックスの開口部周縁に形成されたガラス板載置段部に載置されるガラス板と、
該ガラス板の下面に貼り付けられた防曇シールと、
前記ガラス板載置段部と前記ガラス板に貼り付けられた防曇シールとの間に挟み込まれ、指示ユニット内の水密を図ると共に防曇シールの剥がれを防止するように防曇シールを押えるＯリングとを具備することを特徴とする水道メータ。
【請求項２】
前記ガラス板載置段部には、前記Ｏリングを収納する収納凹部が形成され、
該収納凹部内に収納されたＯリングと、該収納凹部の内周側および／または外周側に設けられた当接部とが、前記防曇シールに当接することを特徴とする請求項１記載の水道メータ。
【請求項３】
メータケースと、
該メータケース内に収納される指示ユニットとを備える水道メータにおいて、
前記指示ユニットは、
上面が開口している有底円筒状のレジスターボックスと、
指針または数字車等を有し、前記レジスターボックス内に収納される指示機構と、
前記レジスターボックスの上面の開口部を閉塞するように、レジスターボックスの開口部周縁に形成されたガラス板載置段部に載置されるガラス板と、
該ガラス板の下面に貼り付けられた防曇シールと、
前記ガラス板載置段部に形成された収納凹部内に収納され、前記ガラス板に当接するＯリングと、
該収納凹部の内周側に設けられ、前記防曇シールの剥がれを防止するように防曇シールに当接する当接部とを具備することを特徴とする水道メータ。
【発明の詳細な説明】
【０００１】
【発明の属する技術分野】
本発明は、指示ユニットがメータケース内に収納されて成る水道メータに関する。
【０００２】
【従来の技術】
水道メータは、一般的に配管の外側面から円筒状に延設されたメータケースと、メータケース内に収納される指示ユニットとを備えている。
指示ユニットは、合成樹脂製のレジスターボックス内に、配管内に配置された羽根車の回転をマグネットカップリング等によって非接触で検出し、羽根車の回転に基づいて数字車や指針等を動作させる指示機構が収納されている。
レジスターボックスの上面はガラス板によって閉塞されている。このガラス板を通して指示機構が読取られる。
【０００３】
このように従来から知られている水道メータにおいては、以下のような課題があった。
すなわち、指示ユニットが合成樹脂製であったので配管内を流れる水と直接接触する場合もあり、指示ユニット内に水分が入り込んでしまうこともあったので、指示ユニット内に侵入した水分はガラスの下面で曇ってしまい、数字車や指針の読取りに支障をきたすおそれがあった。
【０００４】
【発明が解決しようとする課題】
従来の指示ユニットにおいて、ガラス板の曇りを防止するためには、様々な方法が考えられていたが、指示ユニット内の水分を完全になくすことは困難であった。
一方、近年では貼り付けるだけで曇りを防止する防曇シールが一般的になっている。そこで、本発明者等は、ガラス板の下面側に防曇シールを貼ることにより、たとえ指示ユニット内に水分が入り込んでしまった場合でもガラス板が曇らなければよいという発想に至った。
しかし、水道メータは何年も継続して使用するものであり、使用の間に指示ユニット内で防曇シールが剥げてしまうおそれがあるという課題があった。指示ユニット内で一度防曇シールが剥げてしまったらそれを直すのは困難を極める。
【０００５】
そこで、本発明は上記課題を解決すべくなされ、その目的とするところは、ガラス板の曇りを防止すると共にこの曇りを防止する防曇シールの剥がれも防止可能な水道メータを提供することにある。
【０００６】
【課題を解決するための手段】
すなわち、本発明にかかる水道メータによれば、メータケースと、該メータケース内に収納される指示ユニットとを備える水道メータにおいて、前記指示ユニットは、上面が開口している有底円筒状のレジスターボックスと、指針または数字車等を有し、前記レジスターボックス内に収納される指示機構と、前記レジスターボックスの上面の開口部を閉塞するように、レジスターボックスの開口部周縁に形成されたガラス板載置段部に載置されるガラス板と、該ガラス板の下面に貼り付けられた防曇シールと、前記レジスターボックスの上面の開口部周縁の前記載置用段部よりも内周側に形成されたＯリング載置段部と前記防曇シールとの間に挟み込まれ、指示ユニット内の水密を図ると共に防曇シールの剥がれを防止するように防曇シールを押えるＯリングとを具備することを特徴としている。
この構成を採用することによって、防曇シールがガラス板の曇りを確実に防止し、Ｏリングがガラス板とレジスターボックスとの間から水分が流入するのを防止し且つ防曇シールが剥がれないように押えているので、低コストで確実に曇り防止を図ることができ、しかも長期間の使用にも耐えうる。
【０００７】
また、前記Ｏリング載置段部には、前記Ｏリングを収納する収納凹部が形成され、該収納凹部内に収納されたＯリングと、該収納凹部の内周側および／または外周側に設けられた当接部とが、前記防曇シールに当接することを特徴とする。このような構成によっても、防曇シールがガラス板の曇りを確実に防止し、Ｏリングがガラス板とレジスターボックスとの間から水分が流入するのを防止し、且つＯリングと当接部とで防曇シールが剥がれないように押えているので、低コストで確実に曇り防止を図ることができ、しかも長期間の使用にも耐えうる。
【０００８】
本発明に係る水道メータによれば、メータケースと、該メータケース内に収納される指示ユニットとを備える水道メータにおいて、前記指示ユニットは、上面が開口している有底円筒状のレジスターボックスと、指針または数字車等を有し、前記レジスターボックス内に収納される指示機構と、前記レジスターボックスの上面の開口部を閉塞するように、レジスターボックスの開口部周縁に形成されたガラス板載置段部に載置されるガラス板と、該ガラス板の下面に貼り付けられた防曇シールと、前記ガラス板載置段部に形成された収納凹部内に収納され、前記ガラス板に当接するＯリングと、該収納凹部の内周側に設けられ、前記防曇シールの剥がれを防止するように防曇シールに当接する当接部とを具備することを特徴としている。
この構成によれば、防曇シールがガラス板の曇りを確実に防止し、Ｏリングがガラス板とレジスターボックスとの間から水分が流入するのを防止し、当接部が防曇シールが剥がれないように押えているので、低コストで確実に曇り防止を図ることができ、しかも長期間の使用にも耐えうる。
【０００９】
【発明の実施の形態】
以下、本発明の好適な実施の形態を添付図面に基づいて詳細に説明する。
（第１の実施形態）
図１に本発明の第１の実施形態の全体構造を示し、図２に第１の実施形態の特徴部分の拡大図を示す。
まず水道メータ２０の全体構造について説明する。
水道メータ２０は、上ケース２２および下ケース２４から成るメータケース２５内に指示ユニット２６が収納されて構成されている。
上ケース２２には開閉自在な蓋体２８が設けられており、通常は蓋体２８が閉じられて指示ユニット２６は見えないようにされている。図１では蓋体２８が閉じられた状態を示している。
下ケース２４は、水が流通する配管に接続され、水が流通する管路３０が形成されている。下ケース２４内には、管路３０を通過する水によって回転する羽根車３２が配置されている。
【００１０】
指示ユニット２６について説明する。
指示ユニット２６は、内部にマグネット検出部３７を有し、羽根車３２の先端部に設けられたマグネット回転部３１の回転を非接触で検知可能である。このマグネット検出部３７とマグネット回転部３１とでマグネットカップリング機構４１を形成する。指示ユニット２６は、この検知した羽根車３２の回転数により、水道量を数字車３５や各指針３４を有する指示機構３３に表示させる部材である。
指示ユニット２６は、上部が開口して形成された合成樹脂製のレジスターボックス３８内に、数字車３５や各指針３４を有する指示機構３３が収納されて形成されている。
【００１１】
レジスターボックス３８の上面の開口部はガラス板４０によって閉塞されている。ガラス板４０の下面（指示機構３３側の面）にはガラス板４０の曇りを防止するための防曇シール４４が貼り付けられている。防曇シール４４は、後述するような構成のものを採用しているが、一般に市販されているもので充分な作用効果を奏する。
レジスターボックス３８の上面の開口部の周縁には、段状に形成されたガラス板載置段部４２が設けられており、ここにガラス板４０の端縁が載置される。
【００１２】
防曇シール４４の構造の一例を図３に示す。
防曇シール４４は、３層構造に形成されており、無色透明の合成樹脂５２（ＰＥＴ、ＰＥ、アクリル、ポリカーボネート等）の上面に透明の粘着剤５４を塗布し、下面には界面活性剤等の親水性または撥水性（シリコン系またはフッ素系等）の防曇剤５６を塗布して形成されている。
例として親水性の防曇剤５６が塗布された防曇シール４４を貼り付けることによって、指示ユニット２６内の水分が防曇剤５６に付着しても微小な水滴とならず、一様に防曇剤５６の表面に広がるのでガラス板４０の曇りを防止することができるのである。
また、防曇シール４４は合成樹脂５２に防曇剤５６を塗布しているので、ガラス板４０に直接防曇剤５６を付着させた場合よりも断熱効果があり、温度差が少なくなるので防曇効果が高くなる。さらに、ガラス板４０に直接防曇剤５６を付着させた場合よりも防曇剤５６が剥離しにくくなり、防曇効果が持続する。
【００１３】
防曇シール４４の構造の他の例について説明する。
上述したような防曇シール４４は、合成樹脂５２に防曇剤５６を塗布することで形成されていたが、合成樹脂５２の表層を改質するように形成したものであってもよい（図示せず）。例えば、アセテートフィルムの表層を改質することで、アセテートフィルムの表層に親水性を付与させて、防曇効果が得られることが知られている。
このように、防曇剤５６を塗布しなくとも合成樹脂５２の表層自体に防曇効果があるような防曇シール４４を採用することで、防曇シール４４の防曇剤５６の剥離による機能低下の心配がなく、長期間の使用にも十分に耐えるものとすることができる。
【００１４】
符号３９は、ガラス板４０を押える押え部材である。
押え部材３９は、ガラス板４０の中央部分を目視可能となるようにガラス板４０の周縁部を押えるようにリング状に形成されている。押え部材３９の周囲にはレジスターボックス３８の側面に形成された凹部４９に引っ掛けるための鉤部４８が複数箇所に形成されている。
【００１５】
ガラス板載置段部４２には、Ｏリング４３を収納するための収納凹部４６が形成されている。収納凹部４６は、ガラス板４０およびガラス板４０の下面に貼り付けられた防曇シール４４の周縁部に位置して形成されている。
収納凹部４６内にはＯリング４３が収納されており、ガラス板４０によって圧縮されるように下方に押し付けられている。このため、ガラス板４０の下面に貼り付けられた防曇シール４４もＯリング４３に当接している。
収納凹部４６の内周側には、ガラス板４０の下面の防曇シール４４に当接する当接部５０が設けられている。
【００１６】
なお、本実施形態の収納凹部４６は、レジスターボックス３８に形成された凹部と、その内側に配置されたケース部材５１との２つの部材により形成されている。したがって、本実施形態では、防曇シール４４に当接している当接部５０としては、ケース部材５１の上端部が該当する。
このように、防曇シール４４には、Ｏリング４３および収納凹部４６の内周側の当接部５０が当接しているので、防曇シール４４が周縁部から剥がれることを防止する。
【００１７】
なお、第１の実施形態の収納凹部４６としては、レジスターボックス３８とケース部材５１とで２つの部材により形成されたものに限られず、レジスターボックス３８に収納凹部４６の端部が当接部５０として設けられたものであってもよい。
また、本実施形態で防曇シール４４を押える当接部５０の位置は、収納凹部４６の内周側に設けられたものに限定されることはなく、収納凹部４６の外周側に設けられているものであってもよく、収納凹部４６の内周側および外周側の両方に設けられていてもよい。
【００１８】
（第２の実施形態）
次に、本発明の第２の実施形態について図４に基づいて説明する。ただし、上記した第１の実施形態と同一の構成要素については同一の符号を付し、説明を省略する。
本第２の実施形態では、ガラス板載置段部４２に収納凹部４６が形成されておらず、ガラス板４０は防曇シール４４を介してＯリング４３のみで支持されている。このような構成を採用することによっても、防曇シール４４には、Ｏリング４３が当接しているので、防曇シール４４が周縁部から剥がれることを防止する。
【００１９】
（第３の実施形態）
図５に本発明の第３の実施形態について示す。ガラス板載置段部４２に収納凹部４６が形成されており、収納凹部４６内にＯリング４３が収納されている。ここで、収納凹部４６内に収納されたＯリング４３の位置は、ガラス板４０の防曇シール４４が貼り付けられている部位よりも外周側である。このためＯリング４３は防曇シール４４が無い部位のガラス板４０の下面に当接している。
また、ガラス板４０の下面の防曇シール４４に接するように収納凹部４６の当接部５０が当接している。このため、本実施形態では収納凹部４６の端部が当接部５０として、防曇シール４４が周縁部から剥がれることを防止するように設けられている。
【００２０】
なお、第３の実施形態において、収納凹部４６はレジスターボックス３８に一体に形成したものと図示したが、第１の実施形態と同様に、レジスターボックス３８とは別部材のケース部材５１によって収納凹部４６が形成されていてもよい。
この場合であっても、収納凹部４６の内周側に設けられた当接部５０としてのケース部材５１が防曇シール４４の下面に当接し、防曇シール４４の剥がれを防止する。
【００２１】
以上本発明につき好適な実施例を挙げて種々説明したが、本発明はこの実施例に限定されるものではなく、発明の精神を逸脱しない範囲内で多くの改変を施し得るのはもちろんである。
【００２２】
【発明の効果】
本発明に係る水道メータによれば、この構成を採用することによって、防曇シールがガラス板の曇りを確実に防止し、Ｏリングがガラス板とレジスターボックスとの間から水分が流入するのを防止し且つ防曇シールが剥がれないように押えているので、低コストで確実に曇り防止を図ることができ、しかも防曇シールの剥がれもなく長期間の使用に耐えうる。
【００２３】
請求項２記載の水道メータによれば、防曇シールがガラス板の曇りを確実に防止し、Ｏリングがガラス板とレジスターボックスとの間から水分が流入するのを防止し、且つＯリングと当接部とで防曇シールが剥がれないように押えているので、低コストで確実に曇り防止を図ることができ、しかも防曇シールの剥がれもなく長期間の使用に耐えうる。
【００２４】
請求項３記載の水道メータによれば、防曇シールがガラス板の曇りを確実に防止し、Ｏリングがガラス板とレジスターボックスとの間から水分が流入するのを防止し、当接部が防曇シールが剥がれないように押えているので、低コストで確実に曇り防止を図ることができ、しかも防曇シールの剥がれもなく長期間の使用に耐えうる。
【図面の簡単な説明】
【図１】本発明にかかる水道メータの全体の構造を示す断面図である。
【図２】図１に示した水道メータのガラス板の載置部分を拡大した拡大図である。
【図３】防曇シールの断面図である。
【図４】本発明の第２の実施形態を示す水道メータのガラス板の載置部分を拡大した拡大図である。
【図５】本発明の第３の実施形態を示す水道メータのガラス板の載置部分を拡大した拡大図である。
【符号の説明】
２０　　水道メータ
２２　　上ケース
２４　　下ケース
２５　　メータケース
２６　　指示ユニット
２８　　蓋体
３０　　管路
３１　マグネット回転部
３２　　羽根車
３３　　指示機構
３４　　各指針
３５　　数字車
３７　　マグネット検出部
３８　　レジスターボックス
３９　　押え部材
４０　　ガラス板
４１　マグネットカップリング機構
４２　　ガラス板載置段部
４３　　Ｏリング
４４　　防曇シール
４６　　収納凹部
４８　　鉤部
４９　　凹部
５０　当接部
５１　ケース部材
５２　　合成樹脂
５４　　粘着剤
５６　　防曇剤
【図１】
2004004020.tif 000003
【図２】
2004004020.tif 000004
【図３】
2004004020.tif 000005
【図４】
2004004020.tif 000006
【図５】
2004004020.tif 000007